(57)【要約】【課題】  容器を傾けた後に元の状態（水平状態）に戻しても、容器の内部の酸化防止用蓋も同様に元の状態（水平状態）に確実に戻すことができる容器を提供する。【解決手段】容器(100)は、有底容器本体(110)と、液体(114)の液面上に浮遊可能な中蓋(120)と、からなる。有底容器本体(110)はその長さ方向において断面形状が一定である中空の空間(111)を内部に有しており、中蓋(120)は、その外縁と有底容器本体(110)の内壁との間から液体(114)が流通し得る隙間(115)を有底容器本体(110)の内壁との間に形成する形状を有している。【選択図】図１
0003174885.tif 000002
【実用新案登録請求の範囲】
【請求項１】
内部に収納した液体を吐出させるための開口部を有する有底容器本体と、
中蓋と、
からなる液体収納容器であって、
前記有底容器本体はその長さ方向において延びる中空の空間を内部に有しており、
前記中蓋は前記液体の液面に浮遊可能であり、
前記中蓋は、その外縁と前記有底容器本体の内壁との間に、前記中蓋が前記液面とともに上下動可能な隙間を形成する形状を有しているものである液体収納容器。
【請求項２】
前記有底容器本体の断面形状は前記有底容器本体の長さ方向において一定であることを特徴とする請求項１に記載の液体収納容器。
【請求項３】
前記断面形状は円または多角形であることを特徴とする請求項１または２に記載の液体収納容器。
【請求項４】
前記中蓋は円柱または球形状をなしていることを特徴とする請求項１乃至３の何れか一項に記載の液体収納容器。
【請求項５】
前記中蓋は中空であることを特徴とする請求項１乃至４の何れか一項に記載の液体収納容器。
【請求項６】
前記中蓋の少なくとも表面は抗菌素材で形成されていることを特徴とする請求項１乃至５の何れか一項に記載の液体収納容器。
【請求項７】
前記中蓋は弾性変形可能であることを特徴とする請求項１乃至６の何れか一項に記載の液体収納容器。
【考案の詳細な説明】
【技術分野】
【０００１】
本考案は醤油その他の液体調味料を収納する液体収納容器に関する。
【背景技術】
【０００２】
通常、例えば、醤油は「醤油さし」と呼ばれる小型の容器に入れられて使用される。
【０００３】
しかしながら、醤油を醤油さしに入れたまま保存しておくと、醤油の液面は常に空気に触れているため、醤油が液面から徐々に酸化し、醤油の鮮度ひいては風味が劣化するという問題があった。
【０００４】
この問題を解決するため、例えば、特開２００２−３００９６９号公報は、浮き蓋を用いた容器を提案している。
【０００５】
図７は同公報に記載されている容器１０００の縦断面図である。
【０００６】
容器１０００は、コーヒー１０５０を入れるデカンタ１１００と、デカンタ１１００の内部に収納され、コーヒー１０５０の液面に浮かぶ落とし蓋１２００と、から構成されている。
【０００７】
図８は落とし蓋１２００を上方から見た場合の平面図、図９は落とし蓋１２００を下方から見た場合の底面図である。
【０００８】
落とし蓋１２００は、図８及び図９に示すように、デカンタ１１００の横断面と同様の円形形状をなしている。落とし蓋１２００の中央には孔１２０１が形成されており、孔１２０１を中心として４本のスリットが入れられている。
【０００９】
図９に示すように、落とし蓋１２００の裏面には、孔１２０１を中心として１２個のフロート１２０２が取り付けられている。
【００１０】
また、図７に示すように、落とし蓋１２００の周縁は、デカンタ１１００の内壁に沿って密着し、コーヒー１０５０と外気との接触を遮断しやすいように、やや上方に屈曲している。このため、落とし蓋１２００の周縁は常にデカンタ１１００の内壁に密着した状態にある。
【考案の開示】
【考案が解決しようとする課題】
【００１１】
図７乃至図９に示した容器１０００によれば、コーヒー１０５０の液面に常に落とし蓋１２００が浮いているため、コーヒー１０５０と外気との接触が遮断され、コーヒー１０５０の酸化を防止することが可能であるとされている。
【００１２】
デカンタ１１００を傾けてカップ（図示せず）にコーヒー１０５０を入れる場合、コーヒー１０５０の液面はデカンタ１１００の横断面に対して傾斜し、それに伴い、落とし蓋１２００もコーヒー１０５０の液面とともにデカンタ１１００の横断面に対して傾斜することになる。
【００１３】
カップにコーヒー１０５０を入れ終えて、デカンタ１１００を元の状態（図７に示す状態）に戻すと、コーヒー１０５０の液面はデカンタ１１００の横断面と平行になる。この場合、落とし蓋１２００もコーヒー１０５０の液面とともに、デカンタ１１００の横断面に対して平行な状態に戻ることが必要となる。
【００１４】
しかしながら、落とし蓋１２００の外径はデカンタ１１００の内径と同一に設定されているため、デカンタ１１００を傾けた状態から元の状態（図７に示す状態）に戻す場合、落とし蓋１２００の周縁がデカンタ１１００の内壁に引っ掛かり、コーヒー１０５０の液面が水平に戻っているにもかかわらず、落とし蓋１２００が元の状態（図７に示すように水平になっている状態）に戻ることができないことがあった。
【００１５】
このように、落とし蓋１２００がコーヒー１０５０の液面（水平状態）に対して傾斜したままの状態では、落とし蓋１２００はコーヒー１０５０の液面と外気との接触を遮断することができず、当初の目的を達成することができなくなる。
【００１６】
本考案はこのような従来の容器１０００における問題点に鑑みてなされたものであり、容器を傾けた後に元の状態（水平状態）に戻しても、容器の内部の酸化防止用蓋も同様に元の状態（水平状態）に確実に戻すことができる容器を提供することを目的とする。
【課題を解決するための手段】
【００１７】
上記の目的を達成するため、本考案は、内部に収納した液体を吐出させるための開口部を有する有底容器本体と、中蓋と、からなる液体収納容器であって、前記有底容器本体はその長さ方向において延びる中空の空間を内部に有しており、前記中蓋は前記液体の液面に浮遊可能であり、前記中蓋は、その外縁と前記有底容器本体の内壁との間に、前記中蓋が前記液面とともに上下動可能な隙間を形成する形状を有しているものである液体収納容器を提供する。
【００１８】
前記有底容器本体の断面形状は前記有底容器本体の長さ方向において一定であることが好ましい。
【００１９】
前記断面形状は円または多角形であることが好ましい。前記断面形状を円とする場合、前記中蓋は円柱または球形状をなしていることが好ましい。
【００２０】
前記中蓋は中空に形成することが可能である。
【００２１】
前記中蓋の少なくとも表面は抗菌素材で形成されていることが好ましい。
【００２２】
前記中蓋は弾性変形可能であるように形成することが可能である。
【考案の効果】
【００２３】
図７乃至図９に示した従来の容器１０００においては、落とし蓋１２００の外径はデカンタ１１００の内径と同一に設定されているため、落とし蓋１２００はデカンタ１１００の内壁に常に密着している。このため、デカンタ１１００を傾けた状態（後述する本実施形態における図２に示す状態）から元の状態（図７に示す状態）に戻しても、落とし蓋１２００の周縁がデカンタ１１００の内壁に引っ掛かり、コーヒー１０５０の液面が水平に戻っているにもかかわらず、落とし蓋１２００が元の状態（図７に示すように水平になっている状態）に戻ることができなかった。
【００２４】
これに対して、本考案に係る液体収納容器においては、中蓋は有底容器本体の内壁との間に、中蓋が液面とともに上下動可能であるような隙間が形成されるような大きさに設定されているため、有底容器本体を傾けても、中蓋が有底容器本体の内壁に引っかかることはなく、有底容器本体を元の状態に戻したときに、中蓋もスムーズに元の状態に復帰する。このように、本考案に係る液体収納容器によれば、有底容器本体を傾けた後、元の状態に戻しても、中蓋は常に有底容器本体内部の液体の液面上に浮いた状態を維持しており、従って、常時、液体が外気と接触することを防止することが可能である。
【図面の簡単な説明】
【００２５】
【図１】本考案の第一の実施形態に係る液体収納容器の正面図である。
【図２】本考案の第一の実施形態に係る液体収納容器を傾けた状態を示す正面図である。
【図３】中蓋の構造の一例を示す概略図である。
【図４】本考案の第一の実施形態に係る液体収納容器の正面図である。
【図５】本考案の第二の実施形態に係る液体収納容器に使用される中蓋の概略図である。
【図６】図６（Ａ）は、本考案の第三の実施形態に係る液体収納容器に使用される中蓋の概略図であり、図６（Ｂ）は中蓋を丸めた状態を示す概略図である。
【図７】従来の容器の縦断面図である。
【図８】図７に示した従来の容器に使用される落とし蓋を上方から見た場合の平面図である。
【図９】図８に示した落とし蓋を下方から見た場合の底面図である。
【考案を実施するための最良の形態】
【００２６】
（第一の実施形態）
図１は、本考案の第一の実施形態に係る液体収納容器１００の正面図である。
【００２７】
本実施形態に係る液体収納容器１００は、有底容器本体１１０と、中蓋１２０と、から構成されている。
【００２８】
有底容器本体１１０は、その長さ方向（図１においては上下方向）において横断面形状が円形である中空の空間１１１を内部に有している。すなわち、中空空間１１１は、有底容器本体１１０の長さ方向において一定の形状を有しており、かつ、円柱形状をなしている。
【００２９】
この中空空間１１１には、醤油その他の液体調味料１１４が入れられる。
【００３０】
有底容器本体１１０の上方には、中空空間１１１に収納されている液体調味料１１４を吐出するための開口部１１２が形成されている。本実施形態に係る液体収納容器１００においては、有底容器本体１１０に対して取り外し可能な蓋１１３が取り付けられており、開口部１１２は蓋１１３に形成されている。例えば、蓋１１３の内壁には雌ネジ部、有底容器本体１１０の外壁には雄ネジ部が形成されており、これらの雄ネジ部と雌ネジ部を螺合することにより、蓋１１３は有底容器本体１１０に対して取り外し可能に取り付けることが可能である。
【００３１】
中蓋１２０は、横断面が円形をなしており、中蓋１２０は全体としてはほぼ円柱に近い形状をなしている。
【００３２】
中蓋１２０の比重は、有底容器本体１１０に入れられている液体調味料１１４の比重よりも小さくなるように設定されている。このため、中蓋１２０は、図１に示すように、液体調味料１１４の液面に浮いた状態を維持することが可能である。
【００３３】
また、中蓋１２０の最大外径は中空空間１１１の外径（または有底容器本体１１０の内径）よりも小さく設定されている。このため、図１に示すように、中蓋１２０の外周縁と有底容器本体１１０の内壁との間には、中蓋１２０が液体調味料１１４の液面とともに上下動することを可能にする隙間１１５が形成されている。液体調味料１１４はこの隙間１１５を介して流通することができる。
【００３４】
上記のような構造を有する本実施形態に係る液体収納容器１００は以下のようにして使用される。
【００３５】
図２は、本実施形態に係る液体収納容器１００を傾けて、中空空間１１１の内部に収納されている液体調味料１１４を開口部１１２から吐出させる状態を示す正面図である。
【００３６】
図２に示すように、液体収納容器１００を傾けると、液体調味料１１４が開口部１１２から外部に吐出される。この場合、液体調味料１１４の液面は有底容器本体１１０の軸線に対しては傾斜しているが、水平方向を維持している。同様に、液体調味料１１４の液面に浮いている中蓋１２０も有底容器本体１１０の軸線に対しては傾斜しているが、水平方向に浮いている状態を維持している。
【００３７】
液体調味料１１４を出し終えた後、液体収納容器１００を元の状態（図１に示す状態）に戻すと、有底容器本体１１０はその軸線が鉛直線に対して傾斜した状態から鉛直線に対して直交する状態に移行し、液体調味料１１４の液面とともに、中蓋１２０も鉛直線に対して直交する状態になる。
【００３８】
このように、本実施形態に係る液体収納容器１００においては、有底容器本体１１０が立っている状態（図１に示す状態）であっても、あるいは、有底容器本体１１０が傾いた状態（図２に示す状態）であっても、中蓋１２０は液体調味料１１４の液面とともに有底容器本体１１０に対する相対的位置を変えながら、中空空間１１１の内部を液体調味料１１４の液面とともに揺動する。
【００３９】
図７乃至図９に示した従来の容器１０００においては、落とし蓋１２００の外径はデカンタ１１００の内径と同一に設定されているため、すなわち、落とし蓋１２００はデカンタ１１００の内壁に密着するように設定されているため、デカンタ１１００を傾けた状態（本実施形態における図２に示す状態）から元の状態（図７に示す状態）に戻しても、落とし蓋１２００の周縁がデカンタ１１００の内壁に引っ掛かり、コーヒー１０５０の液面が水平に戻っているにもかかわらず、落とし蓋１２００が元の状態（図７に示すように水平になっている状態）に戻ることができなかった。
【００４０】
これに対して、本実施形態に係る液体収納容器１００においては、中蓋１２０は有底容器本体１１０の内壁との間に、中蓋１２０が液面とともに上下動することを可能にする隙間１１５が形成されるような大きさに設定されているため、有底容器本体１１０を傾けても（図２に示す状態）、中蓋１２０が有底容器本体１１０の内壁に引っかかることはなく、有底容器本体１１０を元の状態（図１に示す状態）に戻したときに、中蓋１２０もスムーズに元の状態に復帰する。
【００４１】
このように、本実施形態に係る液体収納容器１００によれば、有底容器本体１１０を傾けた後、元の状態に戻しても、中蓋１２０は常に液体調味料１１４の液面上に浮いた状態を維持しており、従って、常時、液体調味料１１４が外気と接触することを防止することが可能である。
【００４２】
図３は、中蓋１２０の構造の一例を示す概略図である。
【００４３】
図３に示すように、中蓋１２０は相互に嵌め合わせることが可能な二つの部材１２１、１２２とから構成することが可能である。
【００４４】
二つの部材１２１、１２２は嵌め合わせた後、外れないように、固着することが可能である。例えば、接着剤を介して二つの部材１２１、１２２を嵌め合わせてもよく、あるいは、嵌め合わせた後、二つの部材１２１、１２２を溶着することも可能である。
【００４５】
また、二つの部材１２１、１２２からなる中蓋１２０の内部の中空空間はそのままでもよく、あるいは、適当な素材を詰めることも可能である。
【００４６】
また、本実施形態においては、中蓋１２０はほぼ円柱形状として形成されているが、例えば、中蓋１２０を球状にすることも可能である。
【００４７】
本実施形態に係る液体収納容器１００は上記の構造に限定されるものではなく、種々の改変が可能である。
【００４８】
本実施形態に係る液体収納容器１００においては、中空空間１１１の横断面形状は円形となっているが、中空空間１１１の横断面形状は円形には限定されない。例えば、四角形、五角形その他の多角形とすることも可能である。あるいは、楕円形や曲線を含む形状とすることも可能である。もしくは、曲線と直線とが混合した形状とすることも可能である。
【００４９】
さらに、本実施形態に係る液体収納容器１００においては、中空空間１１１の横断面形状は液体収納容器１００の長さ方向において一定形状に形成されているが、中空空間１１１の横断面形状は液体収納容器１００の下から上に向かって横断面積が徐々に大きくなるような形状にすることも可能である。たとえば、中空空間１１１が逆円錐台形状になるように液体収納容器１００を形成することも可能である。
【００５０】
図３に示した構造のように、中蓋１２０を中空の構造とする場合には、図１に示したように、中蓋１２０はその上下方向における中間線が液面に沿うように浮遊する。
【００５１】
これに対して、中蓋１２０の内部の中空空間１１１を適当な材料で充填した場合、あるいは、中蓋１２０を中実になるように樹脂で一体成形したような場合には、図４に示すように、中蓋１２０はその大部分が液面よりも下に位置するようにする。この場合には、中蓋１２０の上面のみが液面と同一面上に位置する。この場合も、図４に示すように、中蓋１２０の外周縁と有底容器本体１１０の内壁との間には、中蓋１２０が液体調味料１１４の液面とともに上下動することを可能にする隙間１１５が形成されている。
【００５２】
中蓋１２０を一体成形する樹脂としては以下のようなものがある。
（１）ポリエチレン（ＰＥ）
（ａ）高密度ポリエチレン（ＨＤＰＥ）（比重：０．９５−０．９７）
（ｂ）低密度ポリエチレン（ＬＤＰＥ）（比重：０．９２−０．９３）
（ｃ）直鎖状低密度ポリエチレン（ＬＬＤＰＥ）（比重：０．９２−０．９４）
（２）ポリプロピレン（ＰＰ）  比重：０．９０−０．９１
（３）エチレン−酢酸ビニル共重合体（ＥＶＡ）の独立気泡発泡体（比重：０．９２−０．９４）
【００５３】
本実施形態に係る液体収納容器１００においては、中蓋１２０は、中蓋１２０の外周縁と有底容器本体１１０の内壁との間に、中蓋１２０が液面とともに上下動することを可能にする程度の隙間１１５または液体調味料１１４が通過し得る程度の隙間１１５が形成されるような大きさ（外径）に設定されている。隙間１１５の大きさは、特に、液体収納容器１００を傾斜させた（図２に示す状態）後に元の状態（図１に示す状態）に戻すような場合に、中蓋１２０が有底容器本体１１０の内壁に引っ掛からない範囲内において、最大になるように設定される。
【００５４】
（第二の実施形態）
図５は、本考案の第二の実施形態に係る液体収納容器に使用される中蓋２２０の概略図である。
【００５５】
本実施形態において使用される中蓋２２０は、第一の実施形態において使用される中蓋１２０と比較して、外周が抗菌素材で形成されている膜２２１で覆われている点で異なっている。この点を除いて、中蓋２２０は中蓋１２０と同一の構造を有している。
【００５６】
このように、中蓋２２０が抗菌素材で形成されている膜２２１で覆われることにより、液体調味料１１４中の雑菌を除去する機能を発揮することができる。
【００５７】
なお、中蓋２２０の表面のみならず、中蓋２２０の全体を抗菌素材でつくることも可能である。
【００５８】
（第三の実施形態）
図６（Ａ）は、本考案の第三の実施形態に係る液体収納容器に使用される中蓋３２０の概略図である。
【００５９】
本実施形態における中蓋３２０は弾性変形可能な素材で形成されている。例えば、中蓋３２０はウレタンその他の軟性樹脂で形成される。
【００６０】
このため、図６（Ｂ）に示すように、中蓋３２０は、曲げたり、撓めたり、丸めたりすることが可能である。
【００６１】
有底容器本体１１０の開口部（蓋１１３を取り外して、液体調味料１１４を中空空間１１１に入れるための有底容器本体１１０の開口部）が小さいものである場合には、中蓋１２０または２２０が入らない可能性がある。このような場合、中蓋３２０であれば、折り曲げ、あるいは、丸めることにより、中蓋３２０全体の大きさを小さくして、有底容器本体１１０の開口部を通すことが可能である。
【符号の説明】
【００６２】
１００  本考案の第一の実施形態に係る液体収納容器
１１０  有底容器本体
１１１  中空空間
１１２  開口部
１１３  蓋
１１４  液体調味料
１１５  隙間
１２０  中蓋
１２１、１２２  中蓋の構成部材
２２０  本考案の第二の実施形態における中蓋
２２１  抗菌素材層
３２０  本考案の第三の実施形態における中蓋
【図１】
0003174885.tif 000003
【図２】
0003174885.tif 000004
【図３】
0003174885.tif 000005
【図４】
0003174885.tif 000006
【図５】
0003174885.tif 000007
【図６】
0003174885.tif 000008
【図７】
0003174885.tif 000009
【図８】
0003174885.tif 000010
【図９】
0003174885.tif 000011